(57)【要約】【課題】ヒンジが切断されたときに、カバーがプロテクタ本体から脱落することを防止できるプロテクタを提供する。【解決手段】プロテクタ１は電線９，１１を収容するプロテクタ本体２とプロテクタ本体２に取り付けられるカバー４とを備えている。プロテクタ本体２は一対の第一係止突起１３と一対の第二係止突起１４とを備えている。カバー４は互いにヒンジ２１を介し連結された複数のカバー部材１９，２０を備えている。カバー４は一対の第一係止突起１３と係止する一対の第一係止部２８と一対の第二係止突起１４と係止する一対の第二係止部２９を備えている。第二係止突起１４のプロテクタ本体２の内側の面３０と第一係止突起１３の底壁５寄りの面３２とは交差している。【選択図】図１
2005333750.tif 000002
【特許請求の範囲】
【請求項１】
電線を収容するプロテクタ本体と、前記プロテクタ本体に取り付けられるカバーと、を備えたプロテクタにおいて、
前記カバーは、互いにヒンジを介して連結し、且つ、前記プロテクタ本体に固定される複数のカバー部材を備え、
前記プロテクタ本体は、表面上に前記電線を位置付ける底壁と、前記底壁から立設した側壁と、前記側壁の外表面から前記底壁の表面に沿って突出した第一係止突起と、前記側壁の前記底壁から離れた側の縁から前記側壁の表面に沿って突出した第二係止突起と、を備え、
前記カバーの複数のカバー部材のうち少なくとも一つは、前記第一係止突起と係止する第一係止部と、前記第二係止突起と係止する第二係止部と、を備えたことを特徴とするプロテクタ。
【請求項２】
前記第二係止突起の前記プロテクタ本体の内側の面と、前記第一係止突起の底壁寄りの面と、が互いに交差していることを特徴とする請求項１記載のプロテクタ。
【請求項３】
前記第二係止突起の前記プロテクタ本体の外側の面は、前記底壁から離れるにしたがって徐々に前記プロテクタ本体の内側に向かって傾斜していることを特徴とする請求項１または請求項２記載のプロテクタ。
【発明の詳細な説明】
【技術分野】
【０００１】
本発明は、ワイヤハーネスに用いられるプロテクタに関する。
【背景技術】
【０００２】
車両としての自動車などには、種々の電子機器が搭載されている。このため、前記自動車は、ワイヤハーネスを配索している。ワイヤハーネスは、複数の電線と、コネクタなどを備えている。電線は、導電性の芯線とこの芯線を被覆する絶縁性の被覆部とを備えている。コネクタは、金属からなる端子金具と、端子金具を収容する絶縁性のコネクタハウジングとを備えている。端子金具は、電線に取り付けられ、電線の芯線と電気的に接続される。コネクタハウジングは、筒状または箱状に形成されており、前述した端子金具を収容する。
【０００３】
前述した構成のワイヤハーネスは、コネクタが前述した電子機器のコネクタなどと嵌合するなどして、自動車に配索される。そして、ワイヤハーネスは、前述した端子金具などを介して、各電線と電子機器とを電気的に接続する。ワイヤハーネスは、前述した電子機器同士を予め定められるパターンにしたがって、相互に電気的に接続して、各電子機器に必要な信号や電力を供給する。
【０００４】
前述したワイヤハーネスは、電線同士を電気的に接続するプロテクタを備えることがある。前記プロテクタは、プロテクタ本体と、端子と、カバーを備えている。
【０００５】
プロテクタ本体は、例えば樋状に形成されていて、内側にワイヤハーネスの電線を収容する。端子は、プロテクタ本体に取り付けられ、例えば、電線を圧接する圧接刃を複数備えている。カバーは、例えば、特許文献１に示されている様に、ヒンジを介してプロテクタ本体と連結している。カバーが、ヒンジを中心に回転して、プロテクタ本体の内側を開放する状態と、プロテクタ本体の内側を塞ぐ状態と、に亘って変位する。カバーと、プロテクタ本体には、カバーがプロテクタ本体を塞ぐ状態で、互いに係止する係止アームと突起が設けられている。
【０００６】
前述したプロテクタは、プロテクタ本体に取り付けられた端子に電線を圧接して、電線同士を接続し、カバーがプロテクタ本体を塞いで、圧接された電線の固定や保護を行う。
【特許文献１】特開平１０−２８５７４２号公報
【発明の開示】
【発明が解決しようとする課題】
【０００７】
しかしながら、従来のプロテクタにおいては、ヒンジが切断されると、前述した係止アームと係止突起の係止が外れて、カバーがプロテクタ本体から外れてしまう。そのために、プロテクタ本体内に収容されていた端子と電線が剥き出しになり、特に、端子に他の機器等が接触する虞が生じて望ましくない。端子に他の機器が接触すると、電線同士が短絡したり、端子が破損して端子と電線の接続が不安定になる虞があるので望ましくない。
【０００８】
したがって、本発明の目的は、ヒンジが切断されたときに、カバーがプロテクタ本体から脱落することを防止できるプロテクタを提供することにある。
【課題を解決するための手段】
【０００９】
前記課題を解決し目的を達成するために、請求項１に記載の本発明のプロテクタは、電線を収容するプロテクタ本体と、前記プロテクタ本体に取り付けられるカバーと、を備えたプロテクタにおいて、前記カバーは、互いにヒンジを介して連結し、且つ、前記プロテクタ本体に固定される複数のカバー部材を備え、前記プロテクタ本体は、表面上に前記電線を位置付ける底壁と、前記底壁から立設した側壁と、前記側壁の外表面から前記底壁の表面に沿って突出した第一係止突起と、前記側壁の前記底壁から離れた側の縁から前記側壁の表面に沿って突出した第二係止突起と、を備え、前記カバーの複数のカバー部材のうち少なくとも一つは、前記第一係止突起と係止する第一係止部と、前記第二係止突起と係止する第二係止部と、を備えたことを特徴としている。
【００１０】
請求項２に記載の本発明のプロテクタは、請求項１に記載のプロテクタにおいて、前記第二係止突起の前記プロテクタ本体の内側の面と、前記第一係止突起の底壁寄りの面と、が互いに交差していることを特徴としている。
【００１１】
請求項３に記載の本発明のプロテクタは、請求項１または請求項２記載のプロテクタにおいて、前記第二係止突起の前記プロテクタ本体の外側の面は、前記底壁から離れるにしたがって徐々に前記プロテクタ本体の内側に向かって傾斜していることを特徴としている。
【００１２】
請求項１に記載した本発明のプロテクタによれば、第一係止突起が側壁から延びた方向と第二係止突起が側壁から延びた方向とが互いに交差している。
【００１３】
請求項２に記載した本発明のプロテクタによれば、第二係止突起のプロテクタ本体の内側の面と、第一係止突起の底壁寄りの面と、が交差しているから、これらの交差している面でカバーが係止される。
【００１４】
請求項３に記載した本発明のプロテクタによれば、第二係止突起のプロテクタ本体の外側の面が、底壁から離れるにしたがって徐々にプロテクタ本体の内側に向かって傾斜しているので、第二係止突起と第二係止部とを係止する際に、カバーを弱い力で加圧でき、プロテクタ本体に嵌めることができる。このため、容易にカバーをプロテクタ本体に取り付けることができる。
【発明の効果】
【００１５】
以上説明したように、請求項１に記載の本発明は、第一係止突起が側壁から延びた方向と、第二係止突起が側壁から延びた方向と、が互いに交差しているので、ヒンジが切断されても、係止部と係止突起とが係止したままになる。したがって、ヒンジが切断されても、プロテクタ本体にカバーのカバー部材が取り付けられたままになり、カバーのカバー部材が、プロテクタ本体から脱落することを防止することができる。
【００１６】
請求項２に記載の本発明は、第二係止突起のプロテクタ本体の内側の面と、第一係止突起の底壁寄りの面と、が互いに交差していので、ヒンジが切断されても、プロテクタ本体にカバーのカバー部材が取り付けられたままになり、カバーのカバー部材が、プロテクタ本体から脱落することをさらに防止することができる。
【００１７】
請求項３に記載した本発明は、第二係止突起のプロテクタ本体の外側の面が、底壁から離れるにしたがって徐々にプロテクタ本体の内側に向かって傾斜しているので、容易にカバーをプロテクタ本体に取り付けることができる。
【発明を実施するための最良の形態】
【００１８】
以下、本発明の一実施形態に係るプロテクタを図１乃至図６に基づいて詳細に説明する。プロテクタ１は、図１乃至図３に示すように、絶縁樹脂製のプロテクタ本体２と、端子３と、前記プロテクタ本体２に取り付けられるカバー４と、を備えている。
【００１９】
プロテクタ本体２は、ほぼ平坦な底壁５と、前記底壁５の外縁から立設した一対の側壁６ａ，６ｂと、複数の隔壁７と、を備えている。一対の側壁６ａ，６ｂが底壁５の互いに逆側に位置する外縁から立設していて、隔壁７が一対の側壁６ａ，６ｂ間に設けられていて、これらの壁６ａ，６ｂ，７は、それぞれ底壁５から立設している。一方の側壁６ａと、最も他方の側壁６ｂ寄りの隔壁７の間は、電線９を圧接収容するジョイント部１０を構成している。他方の側壁６ｂと、最も他方の側壁６ｂ寄りの隔壁７の間は、ジョイント部１０で圧接されない電線１１（図３に示す）と、ジョイント部１０で圧接され折り曲げられた電線９と、を収容する収束部１２を構成している。このように、プロテクタ本体２は、電線９を圧接し収容するジョイント部１０と、電線１１を収容する収束部１２と、を備えている。
【００２０】
また、プロテクタ本体２は、側壁６ｂの外表面から底壁５の表面に沿って突出した一対の第一係止突起１３と、側壁６ｂの底壁５から離れた側の縁から側壁６ｂの表面に沿って突出した一対の第二係止突起１４と、を備えている。また、プロテクタ本体２は、側壁６ａの外表面から底壁５の表面に沿って突出した一対の係止突起１５を設けている。さらに、プロテクタ本体２は、最も側壁６ｂ寄りの隔壁７の側壁６ｂ側の表面から底壁５に沿って突出した一対の係止突起１６を設けている。
【００２１】
図４（ａ）に示すように、プロテクタ本体２に設けられた前記第一係止突起１３は、側壁６ｂの外表面から底壁５の表面に沿って突出した形状をしており、前記第一係止突起１３の底壁５寄りの面３２が、側壁６ｂに略垂直に設けられている。また、図５（ａ）に示すように、プロテクタ本体２に設けられた前記第二係止突起１４は、側壁６ｂの底壁５から離れた側の縁から側壁６ｂの表面に沿って突出した形状をしており、プロテクタ本体２の内側の面３０が、側壁６ｂの表面と平行に延びる。このように、プロテクタ本体２に設けられた前記第一係止突起１３の底壁５寄りの面３２と、前記第二係止突起１４のプロテクタ本体２の内側の面３０と、が交差している。
【００２２】
前記第二係止突起１４は、プロテクタ本体２の外側の面３１が、底壁５から離れるにしたがって徐々にプロテクタ本体２の内側に向かって傾斜している。
【００２３】
端子３は、導電性の板金からなり、圧接刃１８と、バスバー（図示せず）と、アース端子部１７と、を一体に備えている。圧接刃１８は、ジョイント部１０の隔壁７間に設けられ、底壁５より立設している。圧接刃１８は、図示しないスリットが設けられている。圧接刃１８は、スリット内に電線９が圧入されることで、電線９の被覆を切り込んで芯線と接触する。即ち、圧接刃１８は、電線９と圧接する。
【００２４】
バスバー（図示せず）は、板状に形成されており、底壁５内に埋設されている。バスバー（図示せず）は、圧接刃１８同士を連結している。
【００２５】
アース端子部１７は、プロテクタ本体２外に露出しており、前記バスバー（図示せず）に連結している。アース端子部１７は、電線９と電気的に接続される。アース端子部１７は、電線９に流れる過剰な電流を抑制し、自動車に搭載される電子機器の動作の安定を図る。
【００２６】
カバー４は、絶縁樹脂製で、前記ジョイント部１０を覆う第一のカバー１９と、前記収束部１２を覆う第二のカバー２０と、これらのカバー１９，２０を互いに連結するヒンジ２１と、を備えている。
【００２７】
第一のカバー１９は、平坦な上壁２２と、前記上壁２２の一方の端から立設している端壁２３とで断面略Ｌ字状に形成されている。前記第一のカバー１９をプロテクタ本体２に係止するために、プロテクタ本体２の側壁６ａに設けられた一対の係止突起１５に対応して、端壁２３に一対の係合孔２４が設けられている。さらに、プロテクタ本体２の隔壁７に設けられた一対の係止突起１６に対応して、上壁２２の他方の端に一対の係合枠片２５が上壁２２から立設している。
【００２８】
第二のカバー２０は、ほぼ平坦な上壁２６と、前記上壁２６の端に直交して続く端壁２７と、を設けている。前記第二のカバー２０をプロテクタ本体２に係止するために、プロテクタ本体２の側壁６ｂに設けられた一対の第一係止突起１３に対応して、端壁２７に一対の第一係止部２８が設けられている。第一係止部２８は、上壁２６と端壁２７とに亘って設けられ、これらを貫通した孔である。さらに、プロテクタ本体２の側壁６ｂに設けられた一対の第二係止突起１４に対応して、上壁２６に一対の第二係止部２９が設けられている。第二係止部２９は、上壁２６に設けられ、この上壁２６を貫通した孔である。第一係止部２８に第一係止突起１３を係止させるために、端壁２７は、可撓性を備えている。このため、第二のカバー２０は、ヒンジ２１を中心として回転し、係止部２８，２９と係止突起１３，１４とを係止させることで、プロテクタ本体２に取り付けられる。
【００２９】
ヒンジ２１は、第一のカバー１９の上壁２２と第二のカバー２０の上壁２６との双方より、薄い板状に形成されており、第一のカバー１９の上壁２２と、第二のカバー２０の上壁２６と、を互いに回転自在に連結している。このため、ヒンジ２１は、所謂セルフヒンジとなっている。ヒンジ２１は、屈曲することにより、例えば図４（ａ），図５（ａ）に示すように、第二のカバー２０が開いた状態から、図４（ｂ），図５（ｂ）に示すように、閉めた状態にすることができる。
【００３０】
以下のように、前述した構成のプロテクタ１を組み立てる。まず、プロテクタ本体２のジョイント部１０に設けられた圧接刃１８に電線９を予め決められたパターンに圧接し、係止突起１５と係止孔２４とを係止し、係止突起１６と係止枠片２５とを係止して、第一のカバー１９をプロテクタ本体２に嵌める。次に、前記圧接された電線９の一部の他方を折り曲げて、収束部１２に収容して、同時に、圧接しない電線１１を収束部１２に収容して、ヒンジ２１を中心にして第二のカバー２０を回転して、第一係止突起１３と第一係止部２８、第二係止突起１４と第二係止部２９とを係止して、第二のカバー２０をプロテクタ本体２に嵌める。
【００３１】
プロテクタ本体２に第二のカバー２０を装着する場合、即ちプロテクタ本体２に設けられた第二係止突起１４が、第二のカバー２０に設けられた第二係止部２９に係止されるときに、プロテクタ本体２に設けられた第二係止突起１４のプロテクタ本体２の外側の面３１が、底壁５から離れるにしたがって徐々にプロテクタ本体の内側に向かって傾斜している。そのため、第二係止突起１４のプロテクタ本体２の外側の面３１が第二係止部２９の邪魔にならずに嵌められる。このように、前述したプロテクタ１が組み立てられる。
【００３２】
図６に示すように、ヒンジ２１が切断して、第一のカバー１９と第二のカバー２０とが互いに別体となると、第二のカバー２０がプロテクタ本体２から外れようとする。このとき、前記プロテクタ本体２に設けられた前記第二係止突起１４のプロテクタ本体２の内側の面３０が、側壁６ｂの表面と平行に延び、前記プロテクタ本体２に設けられた前記第一係止突起１３の底壁５寄りの面３２が、側壁６ｂに略直交しているので、第二のカバー２０に設けられた一対の第二係止部２９に、プロテクタ本体２に設けられた一対の第二係止突起１４が係止されたままとなり、第一係止部２８に第一係止突起１３が係止したままとなる。このように、前記プロテクタ本体２に設けられた前記第二係止突起１４のプロテクタ本体２の内側の面３０と、前記第一係止突起１３の底壁５寄りの面３２と、が交差している。
【００３３】
本実施形態によれば、前記第二係止突起１４のプロテクタ本体２の内側の面３０と、前記第一係止突起１３の底壁５寄りの面３２と、が交差している。このため、ヒンジ２１が切断された際、プロテクタ本体２に設けられた一対の第一係止突起１３が、第二のカバー２０に設けられた一対の第一係止部２８により係止されたままとなり、プロテクタ本体２に設けられた一対の第二係止突起１４が、第二のカバー２０に設けられた一対の第二係止部２９に係止されたままとなる。したがって、ヒンジ２１が切断されたときに、カバー４の第一及び第二のカバー１９，２０がプロテクタ本体２から脱落することを防止できる。
【００３４】
第二係止突起１４は、プロテクタ本体２の外側の面３１が、底壁５から離れるにしたがって徐々にプロテクタ本体２の内側に向かって傾斜しているため、第二のカバー２０をプロテクタ本体２に嵌める場合、第二係止突起１４が邪魔にならずに嵌めることができる。
【００３５】
また、用途の異なる第一のカバー１９と、第二のカバー２０と、をヒンジ２１を介して連結することにより、カバー４の部品点数を減らすことができる。
【００３６】
前述した実施形態では、カバー部材１９，２０を２つ設けたが、本発明では、カバー部材１９，２０を３つ以上設けても良い。また、複数のカバー部材１９，２０のそれぞれに係止部２８，２９を設け、プロテクタ本体２にこれらの係止部２８，２９と係止する係止突起１３，１４を設けても良い。要するに、本発明は、複数のカバー部材１９，２０のうち少なくとも一つに係止部２８，２９を設け、プロテクタ本体２にこれらの係止部２８，２９と係止する係止突起１３，１４を設ければ良い。
【００３７】
前述した実施形態は、端子３を収容して、該端子３に電線９を圧接して、電線９同士を接続するプロテクタ１を示している。しかしながら、本発明は、電線を圧接する端子などを収容せずに、単に電線を覆って、該電線を保護する従来から周知のハーネス用プロテクタに適用しても良い。
【００３８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３９】
【図１】本発明の一実施形態に係るプロテクタを示す分解斜視図である。
【図２】図１に示されたプロテクタの斜視図である。
【図３】図１に示されたプロテクタの平面図である。
【図４】（ａ）は、図２中のＩＶＡ−ＩＶＡ線に沿う断面図であり、（ｂ）は、図３中ＩＶＢ−ＩＶＢ線に沿う断面図である。
【図５】（ａ）は、図２中のＶＡ−ＶＡ線に沿う断面図である、（ｂ）は、図３中のＶＢ−ＶＢ線に沿う断面図である。
【図６】図５（ｂ）に示されたヒンジが切断した状態を示す断面図である。
【符号の説明】
【００４０】
１  プロテクタ
２  プロテクタ本体
４  カバー
５  底壁
６ａ，６ｂ  側壁
９  電線
１１  （通過する）電線
１３  第一係止突起
１４  第二係止突起
１９  第一のカバー（カバー部材）
２０  第二のカバー（カバー部材）
２１  ヒンジ
２８  第一係止部
２９  第二係止部
３０  （第二係止突起の）内側の面
３１  （第二係止突起の）外側の面
３２  （第一係止突起の）底壁寄りの面
【図１】
2005333750.tif 000003
【図２】
2005333750.tif 000004
【図３】
2005333750.tif 000005
【図４】
2005333750.tif 000006
【図５】
2005333750.tif 000007
【図６】
2005333750.tif 000008